(57)【要約】【課題】壁を壊さずに、木造建物の土台の水平修復が簡単に行えるようにする。【解決手段】木造建物のコンクリート基礎３の中にアンカーボルト１を垂直に埋め込む。基礎３の上に基礎パッキン５を敷いた後、土台にあけた穴６ａをアンカーボルト１に挿通するようにして、基礎３の上に土台６を置く。そして、土台の上に突出したアンカーボルト１に長ナット２を螺合する。土台の穴６ａは長ナット２が入る直径にしておき、長ナットを回すと、長ナットは土台の穴６ａの中に入って行き、つば２ｂが土台の上面に当接し、緊締される。長ナット２は、このように緊締したとき、下端が土台６の下に突出するだけの長さを有している。土台の傾きを直すときは、基礎と土台の間から挿入したスパナ４を長ナットの下端に係合してこれを緩める。【選択図】図２
2005155183.tif 000002
【特許請求の範囲】
【請求項１】
基礎パッキンを挟んでコンクリート基礎の上に置かれた土台を貫く、該基礎に植設されたアンカーボルトと、該アンカーボルトに螺合する長ナットからなり、該長ナットは該土台の上面に当接する大径部を有しており、該大径部から下の部分は該土台を貫いて該土台の下面から突出する長さを有している木造建物の土台固定用アンカー。
【発明の詳細な説明】
【技術分野】
【０００１】
この発明はコンクリート基礎上に木造住宅の土台を固定するアンカーに関する。
【背景技術】
【０００２】
従来の木造家屋では、基礎の上に載置する土台は、コンクリート基礎中に下部を埋め込んだアンカーボルトに貫かれ、その突出端にナットを螺合して固定されている。
【０００３】
地震や地下水の汲み上げなどにより地盤が不等沈下して、家が傾くことがあるが、小さな不等沈下であれば、基礎はそのままにして土台を水平に調整してやれば十分である。そうするためには、アンカーボルトの上端に係合しているナットを緩めたり締め付けたりする必要があるが、該ナットは壁の中に隠れているので、壁を壊さないと作業ができない。アンカーボルトの数は少なくないので、後から壁を修復するとなると工費が嵩む。
【発明の開示】
【発明が解決しようとする課題】
【０００４】
この発明は、壁を壊さずに木造建物の土台の水平修復が簡単に行えるようなアンカーボルトを提供することを課題とする。
【課題を解決するための手段】
【０００５】
この発明の木造建物の土台固定用アンカーは、コンクリート基礎に植設され、基礎パッキンを挟んで基礎の上に置かれた土台を貫くアンカーボルトと、アンカーボルトに螺合する長ナットからなる。長ナットは、土台の上面に当接する大径部を有しており、大径部から下の部分は土台を貫いて下面から突出する長さを有している（請求項１）。
【０００６】
土台に長ナットが入る大きさの垂直の穴をあけておき、その中に、コンクリート基礎の上に立つアンカーボルトを通すようにしてコンクリート基礎の上に載せる。その際、コンクリート基礎と土台の間には基礎パッキンを挟む。次いで、アンカーボルトの上端に長ナットを螺合してねじ込んでいくと、長ナットの下端が土台の下面から突出し、さらに長ナットの大径部が土台上面に当接し、緊締される。こうして、コンクリート基礎の上に土台が固定される。その上に建物を作り上げていく作業は従来どおりである。
【０００７】
この建物が後日不幸にして地震などに遭遇し、地盤が不等沈下して、基礎と共に土台が傾いてしまった場合、他より低くなってしまった土台を持ち上げて、古い基礎パッキンを取り去り、もっと厚みの大きなものに交換することにより土台を水平に修復する。修復作業はまず、他より低くなった部分の土台を止めているアンカーの長ナットを緩めることからはじめる。長ナットの下端はコンクリート基礎と土台の隙間に延びているので、これにスパナを係合して緩める。こうしておいて、油圧ジャッキなどを使って土台を持ち上げ、それまで使用していた基礎パッキンを取り去り、もっと厚いものに交換することにより、土台を水平に戻すことができる。
【０００８】
このようにこの発明のアンカーは、コンクリート基礎と土台の隙間から工具を挿入して、アンカーボルトに螺合する長ナットを緩めたり締め付けたりすることができるので、建物の壁を壊すことなく、土台の水平修復工事が簡単にできる効果がある。
【発明を実施するための最良の形態】
【０００９】
この発明のアンカーは、図１に示すように、アンカーボルト１と長ナット２からなる。アンカーボルト１は、下部にＬ字型の折曲部を設けるなどして抜け難いようにした金属棒であり、上部には雄ねじ１ａを刻む。他方、長ナット２は、断面が６角形の筒体であり、中心穴の内面には、アンカーボルトの雄ねじ１ａと螺合する雌ねじ２ａを刻む。長ナットの上部には、つばを２ｂを溶接して大径部を形成する。つばは、長ナット２の上端部にスパナを係合するのに邪魔にならないように、上端から少し離れた位置に設ける。
【００１０】
アンカーボルト１は、図２および図３に示すように、木造建物のコンクリート基礎３の中に垂直に埋め込む。アンカーボルトとアンカーボルトの間隔は、従来のアンカーボルトの場合と同様、1.0〜1.5mくらいが望ましいがこれに限定されるものではない。次いで、基礎上の、アンカーボルト１が立っている所に基礎パッキ５を敷く。基礎パッキン５は、図２のＡ−Ａ断面に示すように、スパナ４で長ナット２を回動するときに邪魔にならないよう、台形の切欠きを備えた本体部５ａと、その切欠きを埋める補助部５ｂから成っている。基礎パッキン５は、床下に風が入るように基礎３と土台６の間に通風口７を形成するものであり、厚みは20mmほどが普通であるが、これに限定されない。また、基礎パッキン５は、充分な耐圧を有するものであれば、材質はポリプロピレン系など従来どおりのものでよい。
【００１１】
基礎パッキン５を敷いた後、土台にあけた穴６ａを各アンカーボルト１に挿通するようにして、基礎３の上に土台６を置く。そして、土台の上に突出したアンカーボルト１に長ナット２を螺合する。土台の穴６ａは長ナット２が入る直径にしておき、長ナットを回すと、長ナットは土台の穴６ａの中に入って行き、やがて、つば２ｂが土台の上面（正確には土台上面に形成した凹部底面）に当接し、緊締される。長ナット２は、このようにアンカーボルトに緊締したとき、下端が土台６の下に突出するだけの長さを有している。こうして、基礎の上に土台を固定した後の建築工事は従来通りである。符号９は柱、符号１０は壁である。
【００１２】
このアンカーの真価が発揮されるのは、建築後、地震や地下水の汲み上げで地盤が不等沈下して家が傾いた場合である。このような場合は、まず、他より低くなってしまった部分の土台を止めているアンカーの長ナットを緩める。長ナット２の上部は内外の壁１０の中に隠れていて回せないが、長ナットの下端が土台の下面より下に突出しており、この突出部を回すようにする。すなわち、図２のＡ−Ａ断面に示すように、基礎３と土台６の隙間からスパナ４を挿入し、これを長ナット下端に係合し長ナットを緩める。次いで、図３に示すように、油圧ジャッキ１１を使って土台６を持ち上げる。このような操作を繰り返し、基礎と土台の間隔が適当な大きさに拡大したら、それまで使用していた基礎パッキン５を取り去り、もっと厚いものに交換する。この後、油圧ジャッキを使って土台６をゆっくりと下げ、交換した基礎パッキンの上に着座させる。こうすることで、土台６は前より基礎パッキンの厚みが増した分だけ高くなり、土台を水平に修復することができる。
【図面の簡単な説明】
【００１３】
【図１】アンカーの斜視図である。
【図２】土台の横断面図である。
【図３】同じく土台の側面図である。
【符号の説明】
【００１４】
１    アンカーボルト
２    長ナット
２ａ  大径部（つば）
３    コンクリート基礎
５    基礎パッキン
６    土台
【図１】
2005155183.tif 000003
【図２】
2005155183.tif 000004
【図３】
2005155183.tif 000005